(57)【要約】【課題】串、ストロー、フォーク（含簡易フォーク）、スプーンなどの食器を容器に容易に保持できるようにし、また、すぐに取り出すことができること。【解決手段】紙製あるいは樹脂製でコップ状の容器本体１の外側面に上部を開口したポケット部１１を設ける。ポケット部１１は、１枚のポケット片からなり、略コ字型の部分に接着剤を塗布して容器本体１の外側面に接着してポケット部１１を設ける。ポケット部１１から串６を取り出す場合は、一方の手で容器本体１を持ち、他方の手だけで串６を容易に取り出すことができる。取り出した串６にて容器本体１内の食材を突き刺して食べる。串６を用いることで、指を汚すことはない。【選択図】図６
2013193767.tif 000002
【特許請求の範囲】
【請求項１】
底板（２）と、該底板（２）の上面に設けられている筒状の筒状部（３）とでコップ状の容器本体（１）を構成し、
前記容器本体（１）の筒状部（３）の外側面または内側面に、串、ストロー、フォーク、スプーンなどの食器を片手で出し入れ自在に保持する保持手段を設けていることを特徴とする食品用衛生容器。
【請求項２】
前記保持手段にて保持されている串、ストロー、フォーク、スプーンなどの食器の上部は、前記容器本体（１）より上方に突出していることを特徴とする請求項１に記載の食品用衛生容器。
【請求項３】
前記保持手段を、上面を開口して内部を空洞とした収納部（１３）に前記串、ストロー、フォーク、スプーンなどの食器の下部を保持するポケット部（１１）にて構成していることを特徴とする請求項１または請求項２に記載の食品用衛生容器。
【請求項４】
前記ポケット部（１１）の材料として、伸縮性のある樹脂フィルムを用いていることを特徴とする請求項３に記載の食品用衛生容器。
【請求項５】
前記容器本体（１）の筒状部（３）の外側面の下部に、前記串、ストロー、フォーク、スプーンなどの食器の下端部分を保持する受け部（２１）を配設し、
前記筒状部（３）の外側面の上部であって、前記食器を傾斜させて支持する略コ字型の第１の支持片（２２）を、前記受け部（２１）とは左右方向に位置をずらせて配設し、
前記第１の支持片（２２）は、上下方向及び前記受け部（２１）側の側方を開口させ、
前記受け部（２１）と前記第１の支持片（２２）とで前記保持手段を構成していることを特徴とする請求項１または請求項２に記載の食品用衛生容器。
【請求項６】
前記容器本体（１）の筒状部（３）の外側面の下部に、前記串、ストロー、フォーク、スプーンなどの食器の下端部分を保持する受け部（２１）を配設し、
前記筒状部（３）の外側面の上部であって、前記受け部（２１）とは上方に位置する箇所に略Ｃ字状の第２の支持片（３０）を配設し、
前記第２の支持片（３０）の両側の片をそれぞれ接着片（３１）として、該接着片（３１）を前記筒状部（３）の外側面に接着し、
前記受け部（２１）と前記第２の支持片（３０）とで、前記保持手段を構成していることを特徴とする請求項１または請求項２に記載の食品用衛生容器。
【請求項７】
前記受け部（２１）と前記第２の支持片（３０）の材料として、伸縮性のある樹脂フィルムを用いていることを特徴とする請求項６に記載の食品用衛生容器。
【発明の詳細な説明】
【技術分野】
【０００１】
本発明は、鶏肉、豚肉、牛肉などの唐揚げ物、団子、田楽、ミニドーナツ、オツマミなどの食材をコップ状の容器に入れて、該容器内の食材を指で摘むことなく、食材を食べることができるようにした食品用衛生容器に関するものである。
【背景技術】
【０００２】
鶏肉、豚肉、牛肉などの唐揚げ物、団子、田楽、ミニドーナツ、オツマミなどの食材をコップ状の容器に入れ、これら食材を入れた容器ごと販売したり、あるいは無償でサービスとして提供する場合がある。
容器内の食材を食べる場合、指で直接食材を摘んで食べると、指が汚れてしまい、食べた後に指を舐めるか、水で洗うことになる。また、別途串を用いて食材を突き刺して食べる場合もある。
【０００３】
これらの串は、容器とは別途に置いてあり、予め容器に串が設けられておらず、店内などで食べる場合は、店内に置いてある串を用いて食べることができるが、一度、店などその場所から離れると、串を入手することができず、上述したように指を食材を摘んで食べざるを得ないことになる。
【０００４】
そこで、食材を入れる容器に串を備え付けたものとして、例えば、下記に示す特許文献１が挙げられる。
【先行技術文献】
【特許文献】
【０００５】
【特許文献１】特開２０００−３３９４８号公報
【０００６】
上記特許文献１は、焼き鳥、つくね、団子などの串刺し食品を容器に入れているものであり、つくね、焼き鳥、団子等の塊状の食品を縦方向に３〜４個程度を収容することができる高さを有する筒状容器若しくは箱状容器とし、該容器内に前記塊状の食品を上から容易に取り出すことができる開口面を有する仕切り、若しくは仕切り筒を係着し、複数の仕切り区分を構成しているものである。
【０００７】
また、各仕切り区分内には前記塊状の食品を串に刺さないバラの状態で縦方向に３〜４個程度を収容するようにしている。また、前記塊状の食品を串刺しするための串を別途収納袋に入れ、この串を入れた収納袋を容器の本体の一部に添付しているものである。
【発明の概要】
【発明が解決しようとする課題】
【０００８】
上記特許文献１では、収納袋内に串を入れておき、該収納袋を容器の外側面に係着しているために、串を使って容器内の串刺し食品を食べようとした場合、先ず、一方の手で容器を掴み、他方の手で収納袋を容器から取り外し、さらに、容器をどこかに置いて両方の手で収納袋を破いて収納袋から串を取り出して、やっと串刺し食品を食べることができる。
【０００９】
そのため、この特許文献１においては、串刺し食品を串を使って食べる場合に、串をすぐに取り出すことができず、利用者にイライラ感を与えてしまうことになる。また、収納袋から串を取り出す場合、両手で収納袋を破って串を取り出さなければならず、容器を一度どこかに置く必要がある。そのため、歩きながら串を取り出して串刺し食品を食べることが非常に困難であるという問題を有している。
【００１０】
本発明は上述の問題点に鑑みて提供したものであって、少なくとも以下の目的を持った食品用衛生容器を提供するものである。
（１）串、ストロー、フォーク（含簡易フォーク）、スプーンなどの食器を容器に容易に保持できるようにすること。
（２）串、ストロー、フォーク（含簡易フォーク）、スプーンなどの食器を容器から取り出す場合に、すぐに取り出すことができること。
（３）串、ストロー、フォーク（含簡易フォーク）、スプーンなどの食器を容器から取り出す場合に、容器をどこかに一旦置くことなく、一方の手で容器を持ち、他方の手で串、ストロー、フォーク（含簡易フォーク）、スプーンなどなどの食器を取り出すことができること。
（４）串、ストロー、フォーク（含簡易フォーク）、スプーンなどの食器の先端部分は外部に露出させずに衛生的とすること。
【課題を解決するための手段】
【００１１】
そこで、本発明の請求項１に記載の食品用衛生容器では、底板２と、該底板２の上面に設けられている筒状の筒状部３とでコップ状の容器本体１を構成し、
前記容器本体１の筒状部３の外側面または内側面に、串、ストロー、フォーク、スプーンなどの食器を片手で出し入れ自在に保持する保持手段を設けていることを特徴としている。
【００１２】
請求項２に記載の食品用衛生容器では、前記保持手段にて保持されている串、ストロー、フォーク、スプーンなどの食器の上部は、前記容器本体１より上方に突出していることを特徴としている。
【００１３】
請求項３に記載の食品用衛生容器では、前記保持手段を、上面を開口して内部を空洞とした収納部１３に前記串、ストロー、フォーク、スプーンなどの食器の下部を保持するポケット部１１にて構成していることを特徴としている。
【００１４】
請求項４に記載の食品用衛生容器では、前記ポケット部１１の材料として、伸縮性のある樹脂フィルムを用いていることを特徴としている。
【００１５】
請求項５に記載の食品用衛生容器では、前記容器本体１の筒状部３の外側面の下部に、前記串、ストロー、フォーク、スプーンなどの食器の下端部分を保持する受け部２１を配設し、前記筒状部３の外側面の上部であって、前記食器を傾斜させて支持する略コ字型の第１の支持片２２を、前記受け部２１とは左右方向に位置をずらせて配設し、前記第１の支持片２２は、上下方向及び前記受け部２１側の側方を開口させ、前記受け部２１と前記第１の支持片２２とで前記保持手段を構成していることを特徴としている。
【００１６】
請求項６に記載の食品用衛生容器では、前記容器本体１の筒状部３の外側面の下部に、前記串、ストロー、フォーク、スプーンなどの食器の下端部分を保持する受け部２１を配設し、前記筒状部３の外側面の上部であって、前記受け部２１とは上方に位置する箇所に略Ｃ字状の第２の支持片３０を配設し、前記第２の支持片３０の両側の片をそれぞれ接着片３１として、該接着片３１を前記筒状部３の外側面に接着し、前記受け部２１と前記第２の支持片３０とで、前記保持手段を構成していることを特徴としている。
【００１７】
請求項７に記載の食品用衛生容器では、前記受け部２１と前記第２の支持片３０の材料として、伸縮性のある樹脂フィルムを用いていることを特徴としている。
【発明の効果】
【００１８】
本発明の請求項１に記載の食品用衛生容器によれば、容器本体１の筒状部３の外側面または内側面に、串、ストロー、フォーク、スプーンなどの食器を片手で出し入れ自在に保持する保持手段を設けているので、従来とは異なり、容器本体１をどこかに一旦置く必要がなく、一方の手で容器本体１を持ち、他方の手だけで串、ストロー、フォーク、スプーンなどの食器と容易に取り出すことができる。
【００１９】
請求項２に記載の食品用衛生容器によれば、前記保持手段にて保持されている串、ストロー、フォーク、スプーンなどの食器の上部は、前記容器本体１より上方に突出していることで、串、ストロー、フォーク、スプーンなどの食器を容易に掴んで容器本体１から取り出すことができる。
【００２０】
請求項３に記載の食品用衛生容器によれば、前記保持手段を、上面を開口して内部を空洞とした収納部１３に前記串、ストロー、フォーク、スプーンなどの食器の下部を保持するポケット部１１にて構成しているので、一方の手で容器本体１を持ち、他方の手で串６などの食器の上部を持って串６などの食器を引き上げることで、串６などの食器をポケット部１１から容易に取り出すことができる。
このように、容器本体１の外側面に設けたポケット部１１の収納部１３に串６などの食器の下部を挿入するだけで、串６などの食器を容器本体１に容易に保持させることができる。また、販売者が容器本体１を持って購入者に手渡す場合にも、販売者の指がポケット部１１に触れても串６などの食器には直接触れないために、衛生上問題は無い。
また、串６などの食器を取り出す場合にも、片手で串６などの食器を単に引き上げるだけで、簡単に串６などの食器を取り出すことができる。そして、取り出した串６などの食器を用いて容器本体１内の食材を突き刺して食べることで、指を汚すことなく食材を食べることができる。
特に、串６などの食器を容器本体１から取り出す場合、従来では、容器を一旦どこかに置いて串が入っている収納袋を剥がして、該収納袋を両手で破って串を取り出すようにしていたが、本実施形態では、容器本体１を一旦どこかに置く必要もなく、一方の手で容器本体１を持ち、他方の手で串６などの食器を簡単に取り出すことができるものである。
また、串６などの食器をポケット部１１に出し入れ自在に保持させた状態でも、串６などの食器は容器本体１の外面に沿って外方に突出した形態となっており、そのため、串６などの食器を保持させた状態でも容器本体１を上下に重ね合わせることができる。
【００２１】
請求項４に記載の食品用衛生容器によれば、前記ポケット部１１の材料として、伸縮性のある樹脂フィルムを用いていることで、収納部１３の空間部分を押しつぶす形で筒状部３の表面に平たく押さえつけることができる。これにより、容器本体１を上下に重ね合わせることができる。
【００２２】
請求項５に記載の食品用衛生容器によれば、前記容器本体１の筒状部３の外側面の下部に、前記串、ストロー、フォーク、スプーンなどの食器の下端部分を保持する受け部２１を配設し、前記筒状部３の外側面の上部であって、前記食器を傾斜させて支持する略コ字型の第１の支持片２２を、前記受け部２１とは左右方向に位置をずらせて配設し、前記第１の支持片２２は、上下方向及び前記受け部２１側の側方を開口させているので、従来とは異なり、容器本体１をどこかに一旦置く必要がなく、一方の手で容器本体１を持ち、他方の手だけで串、ストロー、フォーク、スプーンなどの食器と容易に取り出すことができる。
【００２３】
請求項６に記載の食品用衛生容器によれば、前記容器本体１の筒状部３の外側面の下部に、前記串、ストロー、フォーク、スプーンなどの食器の下端部分を保持する受け部２１を配設し、前記筒状部３の外側面の上部であって、前記受け部２１とは上方に位置する箇所に略Ｃ字状の第２の支持片３０を配設し、前記第２の支持片３０の両側の片をそれぞれ接着片３１として、該接着片３１を前記筒状部３の外側面に接着していることで、従来とは異なり、容器本体１をどこかに一旦置く必要がなく、一方の手で容器本体１を持ち、他方の手だけで串、ストロー、フォーク、スプーンなどの食器と容易に取り出すことができる。
【００２４】
請求項７に記載の食品用衛生容器によれば、前記受け部２１と前記第２の支持片３０の材料として、伸縮性のある樹脂フィルムを用いているので、受け部２１及び第２の支持片３０を平坦にすることができ、そのため、容器本体１を上下に重ね合わせることができる。
【図面の簡単な説明】
【００２５】
【図１】本発明の実施の形態における容器本体の正面図である。
【図２】本発明の実施の形態における容器本体の側面図である。
【図３】本発明の実施の形態における容器本体の平面図である。
【図４】本発明の実施の形態における容器本体の底面図である。
【図５】本発明の実施の形態におけるポケット部に串を保持させた状態の正面図である。
【図６】本発明の実施の形態におけるポケット部に串を保持させた状態の側面図である。
【図７】本発明の第２の実施の形態における容器本体の正面図である。
【図８】本発明の第２の実施の形態における容器本体の側面図である。
【図９】本発明の第２の実施の形態における容器本体の平面図である。
【図１０】本発明の第２の実施の形態におけるポケット部に串を保持させた状態の正面図である。
【図１１】本発明の第２の実施の形態におけるポケット部に串を保持させた状態の側面図である。
【図１２】本発明の第３の実施の形態における容器本体の正面図である。
【図１３】本発明の第３の実施の形態における支持片の拡大斜視図である。
【図１４】本発明の第３の実施の形態における串を保持させた状態の容器本体の正面図である。
【図１５】本発明の第４の実施の形態における支持片の拡大斜視図である。
【図１６】本発明の第４の実施の形態における串を保持させた状態の容器本体の正面図である。
【図１７】本発明の第５の実施の形態におけるを串を保持させた状態の容器本体の正面図である。
【図１８】本発明の第６の実施の形態における支持片の拡大斜視図である。
【図１９】本発明の第６の実施の形態における串を保持させた状態の容器本体の正面図である。
【図２０】本発明の実施の形態における他の形状の容器本体の斜視図である。
【発明を実施するための形態】
【００２６】
以下、本発明の実施の形態を図面を参照して詳細に説明する。図１〜図４は本発明の容器本体１を示し、図１は容器本体１の正面図を、図２は容器本体１の側面図を、図３は容器本体１の平面図を、図４は容器本体１の底面図をそれぞれ示している。
【００２７】
図示するように容器本体１は、上部に至るほど拡開しているコップ状の形状であり、材料としては、一般に市販されているような紙製や樹脂製である。この容器本体１は、底面は閉塞され上部は開口されており、容器本体１の大きさは特に限定はされないが、片手で持ち易い大きさとしている。
図１〜図４に示すように、容器本体１は、円形の底板２と、上部に至るほど拡開している筒状部３とで構成されており、容器本体１自体は、一般的なコップ形状である。
【００２８】
次に、本発明の要旨について説明していく。図示するように容器本体１の筒状部３の外面に串、ストロー、フォーク（含簡易フォーク）、スプーンなどの食器の保持手段であるポケット部１１が設けてあり、このポケット部１１に串、ストロー、フォーク（含簡易フォーク）、スプーンなどを出し入れ自在としている。
このポケット部１１は、１枚のポケット片１２の上部を除いて略コ字型に接着剤を塗布して筒状部３の表面に接着（図中の破線部分）させることで、ポケット部１１を形成している。そして、ポケット部１１は上部を開口させて串等の先端部分を収納する空洞状の収納部１３を形成している。
【００２９】
なお、上記ポケット部１１のポケット片１２の材料としては、容器本体１の材料と同質の紙製あるいは樹脂製で構成しているが、その他の材料、例えば、伸縮性のある樹脂フィルムを用いても良い。
ポケット部１１に伸縮性のある樹脂フィルムを用いることで、収納部１３の空間部分を押しつぶす形で筒状部３の表面に平たく押さえつけることができる。これにより、容器本体１を上下に重ね合わせることができる。
【００３０】
図５は容器本体１のポケット部１１に串６の下部を挿入して、該串６をポケット部１１にて保持させている状態を示し、図６は側面図を示している。
【００３１】
容器本体１内には、鶏肉、豚肉、牛肉などの唐揚げ物、団子、田楽、ミニドーナツ、オツマミなどの食材が入れられて、これらの食材が入った状態で容器本体１が販売されたり、無償のサービスとして提供される。
そして、容器本体１内に食材を入れる前、あるいは食材を容器本体１内に入れた後に、串、ストロー、フォーク（含簡易フォーク）、スプーンなど、図示例では串６をポケット部１１に出し入れ自在に保持している。
【００３２】
容器本体１に食材を入れると共に、串６をポケット部１１に保持させた状態で店内で販売されたり、あるいは他の箇所で無償でサービスとして提供されるものである。
串６をポケット部１１に保持した状態では、串６の上部は容器本体１の上部より突出した状態となっており、そのため、一方の手で容器本体１を持ち、他方の手で串６の上部を持って串６を引き上げることで、串６をポケット部１１から容易に取り出すことができる。
【００３３】
このように、本実施形態では、容器本体１の外側面に設けたポケット部１１の収納部１３に串６の下部を挿入するだけで、串６を容器本体１に容易に保持させることができる。また、販売者が容器本体１を持って購入者に手渡す場合にも、販売者の指がポケット部１１に触れても串６には直接触れないために、衛生上問題は無い。
【００３４】
また、串６を取り出す場合にも、片手で串６を単に引き上げるだけで、簡単に串６を取り出すことができる。そして、取り出した串６を用いて容器本体１内の食材を突き刺して食べることで、指を汚すことなく食材を食べることができる。
特に、串６を容器本体１から取り出す場合、従来では、容器を一旦どこかに置いて串が入っている収納袋を剥がして、該収納袋を両手で破って串を取り出すようにしていたが、本実施形態では、容器本体１を一旦どこかに置く必要もなく、一方の手で容器本体１を持ち、他方の手で串６を簡単に取り出すことができるものである。
【００３５】
なお、串６をポケット部１１に出し入れ自在に保持させた状態でも、串６は容器本体１の外面に沿って外方に突出した形態となっており、そのため、串６を保持させた状態でも容器本体１を上下に重ね合わせることができる。
【００３６】
なお、先の実施形態では、ポケット部１１を容器本体１の外面に１カ所だけ設けた場合について説明したが、ポケット部１１を容器本体１の両側の外面に設けるようにしても良く、また、ポケット部１１を３カ所、４カ所に設けるようにしても良い。
【００３７】
また、先の実施形態では、食材を食べる場合に用いる食器として、串６を例にして説明したが、串６に限らず、ストロー、フォーク（含簡易フォーク）、スプーンなどにも適用できるものである。
【００３８】
（第２の実施の形態）
図７〜図１１は、第２の実施形態を示し、ポケット部１１を容器本体１の内面に設けた場合である。図１１に示すように、ポケット部１１は容器本体１の内面に沿って設けられており、また、串６をポケット部１１に出し入れ自在に保持させた状態でも、串６は容器本体１の内面に沿って外方に突出した形態となっており、そのため、串６を保持させた状態でも容器本体１を上下に重ね合わせることができる。
【００３９】
本実施形態においても、ポケット部１１を容器本体１の内面に複数設けるようにしても良い。
【００４０】
（第３の実施の形態）
図１２〜図１４は第３の実施形態を示し、容器本体１の外面の下部に上記ポケット部１１と同様な構成であって、上下方向の寸法を短くし、串６の先端部を受ける受け部２１を設け、容器本体１の上部の外面には、串６を支持する支持片２２を設けたものである。
上記受け部２１は、上部が開口しており、内部には串６の先端部分が挿入されて該串６を受けるようになっている。
【００４１】
また、支持片２２は図１３に示すように、略コ字型に形成されており、一方の片を接着片２３として、容器本体１の筒状部３の湾曲した形状に合わせて少し円弧状に曲成されている。この支持片２２は、少し厚みを持たせており、例えば、容器本体１が紙製であれば、同質の材料を用いている。つまり、図１４に示すように、串６を支持片２２にて支持させた状態でも、該支持片２２が変形しない程度の厚みを持たせている。
また、支持片２２は図１２及び図１４に示すように、受け部２１よりは左右方向にずらせた位置に配設すると共に、支持片２２の左側を開口面として容器本体１に配設している。
【００４２】
串６の先端部を受け部２１内に挿入すると共に、串６を支持片２２にて支持させることで、串６は斜めに傾斜して串６は受け部２１と支持片２２にて出し入れ自在に保持される。なお、受け部２１と支持片２２とで串６を出し入れ自在に保持する保持手段を構成している。
ここで、支持片２２は受け部２１に対して左右方向にずらせていることで、串６は支持片２２側に傾斜した状態で保持されるので、串６が左方に倒れて、串６が容器本体１から脱落することはない。
【００４３】
串６を容器本体１から取り出す場合は、串６をそのまま引き上げるか、あるいは、串６を少し左方へ傾けて支持片２２から串６を離し、そのまま串６を引き上げることで、串６を容器本体１から容易に取り出すことができる。
【００４４】
この実施形態においても、受け部２１及び支持片２２を容器本体１の外面に複数設けても良く、また、容器本体１の内面に１カ所、あるいは複数箇所設けるようにしても良い。
【００４５】
（第４の実施の形態）
図１５及び図１６は第４の実施形態を示し、上記第３の実施形態の支持片２２とは対称な支持片２２を形成し、該支持片２２を図１６に示すように、受け部２１に対して左方に配設したものである。
本実施形態では、第３の実施形態と比べて支持片２２の構成と配設位置が異なるだけで、基本的な構成は同じなので、本実施形態においても第３の実施形態と同様の効果を奏するものである。
【００４６】
（第５の実施の形態）
図１７は第５の実施形態を示し、上記第３と第４の実施形態を合わせたものであり、受け部２１の上方の左右に支持片２２をそれぞれ容器本体１の外面に配設したものである。
串６の出し入れの作用は上記と同様なので、説明は省略する。
【００４７】
（第６の実施の形態）
図１８及び図１９に第６の実施形態を示す。本実施形態では、串６を支持する支持片３０を略Ｃ字状に形成したものであり、支持片３０の両側には、容器本体１の外面に接着させる接着片３１が折曲形成されている。この接着片３１は図示では、平板状に形成されているが、円弧状に形成しても、もちろん良いものである。
【００４８】
本実施形態では、受け部２１及び支持片３０の材料として、伸縮性のある樹脂フィルムを用いることで、受け部２１及び支持片３０を平坦にすることができ、そのため、容器本体１を上下に重ね合わせることができる。
【００４９】
なお、容器本体１の形状を上部に至るほど拡開しているコップ状の場合について説明したが、図２０に示すように、上下の径を同一とした円筒状の容器本体１にも適用することができる。
また、容器本体１の断面形状を円形だけでなく、四角形状、六角形状、八角形状等の多角形状とした容器本体１にも適用することができる。
【００５０】
上記各実施形態においても、第１の実施形態と同様の作用、効果を奏するものである。
【符号の説明】
【００５１】
１  容器本体
２  底板
３  筒状部
１１  ポケット部
１３  収納部
２１  受け部
２２  支持片
３０  支持片
３１  接着片
【図１】
2013193767.tif 000003
【図２】
2013193767.tif 000004
【図３】
2013193767.tif 000005
【図４】
2013193767.tif 000006
【図５】
2013193767.tif 000007
【図６】
2013193767.tif 000008
【図７】
2013193767.tif 000009
【図８】
2013193767.tif 000010
【図９】
2013193767.tif 000011
【図１０】
2013193767.tif 000012
【図１１】
2013193767.tif 000013
【図１２】
2013193767.tif 000014
【図１３】
2013193767.tif 000015
【図１４】
2013193767.tif 000016
【図１５】
2013193767.tif 000017
【図１６】
2013193767.tif 000018
【図１７】
2013193767.tif 000019
【図１８】
2013193767.tif 000020
【図１９】
2013193767.tif 000021
【図２０】
2013193767.tif 000022